(57)【要約】      （修正有）【課題】カメラレンズが通信端末の上部の左右方向どの位置にある機種にも対応できる通信端末ケースを提供する。【解決手段】ケース本体の上部５とケース本体の下部６とが連続して位置し、ケース本体の上部とケース本体の下部の間に境界７を有し、ケース本体の上部がケース本体の下部に対して起立方向に屈曲可能に形成され、背板部３が、少なくとも背板部の上端から境界の延長線上の位置までスライドファスナーによって開閉可能に構成されてなることを特徴とする。【選択図】図１
0003200002.tif 000002
【実用新案登録請求の範囲】
【請求項１】
通信端末の背面側にケース本体が位置し、通信端末の表面側に蓋体が位置し、
ケース本体の一側縁と蓋体の一側縁とが、背板部に連接されてなり、
ケース本体の上部とケース本体の下部とが連続して位置し、ケース本体の上部がケース本体の下部に対して起立方向に屈曲可能に形成され、
背板部が、少なくとも背板部の上端から前記境界の延長線上の位置までスライドファスナーによって開閉可能に構成されてなることを特徴とする通信端末ケース。
【考案の詳細な説明】
【技術分野】
【０００１】
この考案は、スマートフォンなどの通信端末を覆うのに使用されている通信端末ケースに関するものである。
【背景技術】
【０００２】
従来の通信端末ケースは、通信端末の背面側にケース本体が位置し、通信端末の表面側に蓋体が位置し、通信端末の背面側の一側縁と、蓋体の一側縁とが背面部に連接されていて、蓋体を開くことにより通信端末の表面を視認でき操作できるものである。
【考案の概要】
【考案が解決しようとする課題】
【０００３】
そして、通信端末に備えられたカメラ機能を使用するためにケース本体の上部にカメラ穴が開口されていて、このカメラ穴を介して写真も撮影できるようになっている。
ところで、近時、通信端末に備えられたカメラは、その性能が高度化し、利用頻度も高くなっているところ、カメラの設置位置は、携帯端末の上部に設けられている点ではほぼ共通しているが、上部の左右位置についてみると、メーカー、あるいは、機種により少しずつ異なっている。このため、カメラ穴の位置も、メーカーあるいは機種毎に変えてケース本体を作成する必要があった。
【０００４】
また、通信端末ケースは、通信端末を保護するためにほぼ必須の用具であり、しかも、通信端末用のアクセサリーとしても重要な用具である。カメラ穴があるためにケース本体のデザインに制約を受けたり、デザインに一部欠けたりするため、デザインの採択に困難を伴っていた。
【課題を解決するための手段】
【０００５】
本考案は、このような問題を解決するためになされたものである。
本考案は、通信端末の背面側にケース本体が位置し、通信端末の表面側に蓋体が位置し、
ケース本体の一側縁と蓋体の一側縁とが、背板部に連接されてなり、ケース本体の上部とケース本体の下部とが連続して位置し、ケース本体の上部がケース本体の下部に対して起立方向に屈曲可能に形成され、背板部が、少なくとも背板部の上端から前記境界の延長線上の位置までスライドファスナーによって開閉可能に構成されてなることを特徴とする通信端末ケースである。
【考案の効果】
【０００６】
本考案によれば、背板部のスライドファスナーによって背板部を、その上端から境界の延長線上まで開き、ケース本体の上部をケースの下部に対して起立方向に屈曲させることができ、このようにすることによって、ケース本体の上部を開放することができ、通信端末の上部を左右方向全体にわたって開放できるので、カメラレンズ
が通信端末の上部の左右方向どの位置にある機種にも対応できる携帯端末ケースを提供できる。
【０００７】
しかも、携帯端末ケースの上部にカメラ穴を開口する必要がなくなったので、デザイン上の制約がなくなるとともに、カメラ穴を開ける加工工程が不要となった。
【図面の簡単な説明】
【０００８】
【図１】本考案の端末ケースの使用状態を示す斜視図である。
【図２】図１の状態から蓋体を開いた状態を示す斜視図である。
【図３】本考案の端末ケースの内側を示す正面図である。
【図４】本考案の端末ケースの外側を示す背面図である。
【考案を実施するための形態】
【０００９】
以下、本考案の携帯端末ケースの実施態様を、図面を参照しながら説明する。
通信端末２０というのは、主にスマートフォンを意味しており、通信機能とカメラ機能とを備えた携帯型の装置で、表面側２１に情報表示部２２を備え、背面側２３にカメラレンズ２４を有するものである。
【００１０】
通信端末ケース１は、通信端末２０の背面側２３をケース本体２に固定し、表面側の情報表示部２２を視認可能な状態とし、通信端末２０を使用しないときはケース本体２と背板部３を介して連接されている蓋体４を表面側２１に位置させて通信端末２０の保護を行うものである。図示例では、ケース本体２の内面下部には薄い弾性板１３が固定されており、この弾性板１３の表面には着脱可能な粘着剤が塗布されていて、通信端末２０をこの弾性板１３に粘着剤によって接着させることにより、固定している。
ケース本体の上部５というのは、少なくとも通信端末のカメラレンズの位置する範囲を含んでおり、ケース本体の下部６との間に境界７を有していて、ケース本体の上部５はケース本体の下部６に対して、この境界７を境に屈曲可能である。
【００１１】
合わせて、ケース本体の一側縁８と蓋体の一側縁９とが背板部３に連接されている。背板部３は、縦長の短冊型をしており、その幅方向中央にスライドファスナー１０が配置されている。スライドファスナー１０は、背板部３の上端から下方に向けて開放可能な構造のものである、つまり、スライドファスナー１０のスライダー１１を上端に位置させた状態では背板部３は、スライドファスナー１０を閉じており、スライダー１１を下方に移動させるに従い背板部３の上端から左右に開くのである。
【００１２】
スライドファスナー１０の下端は、少なくともケース本体の上部５とケース本体の下部６との境界７の延長線上まで達する長さを必要とする。図示の例では、スライドファスナー１０を背板部３の上端から下端まで達する長さとしており、スライドファスナー１０を全長に亘って開放することにより、蓋体４をケース本体２から分離可能としたものである。このようにすることにより、蓋体４を外して使用することも可能となるものである。
【００１３】
次に通信端末ケース１の使用の仕方について説明する。本考案の通信端末ケース１に通信端末２０を装着した状態で、情報表示部２２を見たり操作する際は、蓋体４を、背板部３を軸として回転させて開き、情報表示部２２を視認しながら行う。一方、この通信端末ケース１に装着した状態で通信端末２０によってカメラ撮影を行うときは、スライドファスナー１０のスライダー１１を、境界７の延長線上の位置まで下方に下げ、背板部３のスライドファスナー１０を開いた後、ケース本体の上部５をケース本体の下部６に対して起立方向、すなわち、背面方向に起立するように屈曲させ、さらにケース本体の下部６の背面上に重ねるようにして手で押さえ持つ。こうすることにより、通信端末のカメラレンズを背面方向に開放し、撮影可能状態となる。
【００１４】
撮影終了後は、ケース本体の上部５を戻して通信端末２０の背面に沿わせたのちスライダー１１を上方に移動させて、スライドファスナー１０を閉じる。
【符号の説明】
【００１５】
１  通信端末ケース
２  ケース本体
３  背板部
４  蓋体
５  ケース本体の上部
６  ケース本体の下部
７  境界
８  ケース本体の一側縁
９  蓋体の一側縁
１０  スライドファスナー
１１  スライダー
２０  通信端末
【図１】
0003200002.tif 000003
【図２】
0003200002.tif 000004
【図３】
0003200002.tif 000005
【図４】
0003200002.tif 000006
【手続補正書】
【提出日】平成27年7月13日(2015.7.13)
【手続補正１】
【補正対象書類名】実用新案登録請求の範囲
【補正対象項目名】全文
【補正方法】変更
【補正の内容】
【実用新案登録請求の範囲】
【請求項１】
通信端末の背面側にケース本体が位置し、通信端末の表面側に蓋体が位置し、
ケース本体の一側縁と蓋体の一側縁とが、背板部に連接されてなり、
ケース本体の上部とケース本体の下部とが連続して位置し、前記ケース本体の上部とケース本体の下部の間に境界を有し、ケース本体の上部がケース本体の下部に対して起立方向に屈曲可能に形成され、
背板部が、少なくとも背板部の上端から前記境界の延長線上の位置までスライドファスナーによって開閉可能に構成されてなることを特徴とする通信端末ケース。